(57)【要約】【課題】光源からの光ビームを分岐することなく、その光量検知を可能とする光走査装置およびその回転多面鏡を提供する。【解決手段】光走査装置１０は、レーザビームＬＢを出射する面発光レーザダイオード１１と、レーザビームＬＢを回転によって走査レーザビームＬＢＳとモニタレーザビームＬＢＭとに時分割で振り分けるポリゴンミラー２０と、モニタレーザビームＬＢＭを受光素子４２で検知するビームモニタ光学系４０と、受光素子４２による光量検知情報に基づいて面発光レーザダイオード１１を制御する制御装置５０と、を備えて構成されている。【選択図】図１
2007139827.tif 000002
【特許請求の範囲】
【請求項１】
光源からの光ビームを、被走査面に結像させて走査する光走査装置であって、
前記光ビームの光量を検知する光量検知手段と、
前記光源からの光ビームを前記被走査面と前記光量検知手段とに時分割で振り分ける光ビーム振り分け手段と、
を備えることを特徴とする光走査装置。
【請求項２】
前記被走査面に振り分けられる光ビームは前記被走査面を走査する走査ビームであり、
前記光量検知手段に振り分けられる光ビームは当該光量検知手段に一定時間継続して入射する光量検知ビームであることを特徴とする請求項１に記載の光走査装置。
【請求項３】
前記光ビーム振り分け手段は、回転する偏向部材によって、前記光源からの光ビームを、前記走査ビームと、光量検知ビームとに振り分けることを特徴とする請求項２に記載の光走査装置。
【請求項４】
レーザ光源と、
前記レーザ光源が出射した光ビームを偏向させて走査動作させる偏向走査手段と、
前記光ビームの光量を検知する光量検知手段と、
を備え、
前記偏向走査手段は、前記レーザ光源が出射した光ビームを、走査動作する走査ビームと、前記光量検知手段に入射する光量検知ビームとに、時分割で振り分けるように構成されていることを特徴とする光走査装置。
【請求項５】
前記偏向走査手段は、移動によって前記レーザ光源が出射した光ビームを前記走査ビームに偏向させる走査反射面と、前記光ビームを前記光量検知ビームに偏向させる光量検知反射面と、
を備えることを特徴とする請求項４に記載の光走査装置。
【請求項６】
前記光量検知反射面は、前記レーザ光源が出射した光ビームを、前記走査反射面による前記走査ビームの走査光路平面外に偏向させて、前記光量検知ビームの光路を前記走査ビームの光路と分離するように構成されていることを特徴とする請求項５に記載の光走査装置。
【請求項７】
前記偏向走査手段は、周囲に前記走査反射面と前記光量検知反射面とを備えて回転軸回りに回転する回転多面鏡であって、
前記走査反射面は前記回転軸と平行な面に形成され、
前記光量検知反射面は前記回転軸に対して角度を有する面に形成され、前記光ビームを前記走査反射面による前記走査ビームの走査光路平面に対して角度を成す前記光量検知ビームに偏向させて、当該光量検知ビームの光路を前記走査ビームの光路と分離するように構成されていることを特徴とする請求項５に記載の光走査装置。
【請求項８】
前記光量検知反射面によって偏向された前記光量検知ビームを、前記回転多面鏡の回転による当該光量検知反射面の移動に拘わらず前記光量検知手段に収束させる光ビーム停止収束手段を備えることを特徴とする請求項７に記載の光走査装置。
【請求項９】
前記光ビーム停止収束手段は、
前記回転軸と直交する断面形状が当該回転軸を略中心とする円弧状を成す曲面に形成された前記光量検知反射面と、
前記光量検知反射面によって拡散偏向された前記光量検知ビームを前記光量検知手段に収束させる光量検知集光素子と、によって構成されていることを特徴とする請求項８に記載の光走査装置。
【請求項１０】
前記走査反射面と、前記光量検知反射面とは、前記回転多面鏡の周囲に交互に配置されていることを特徴とする請求項７に記載の光走査装置。
【請求項１１】
中心軸回りに回転し、レーザ光源が出射した光ビームを反射偏向させる回転多面鏡であって、
前記光ビームを走査動作する走査光ビームに反射偏向させる走査反射面と、
前記光ビームを前記走査反射面による前記走査ビームの走査光路平面に対して角度を成す方向の光量検知光ビームに反射偏向させる光量検知反射面とを、交互に備えることを特徴とする光走査装置の回転多面鏡。
【請求項１２】
前記光量検知反射面は、前記回転多面鏡の回転による移動に拘わらず、前記光ビームを一定方向に偏向させるように構成されていることを特徴とする請求項１１に記載の光走査装置の回転多面鏡。
【請求項１３】
前記光量検知反射面は、前記回転軸に対して角度を有し、当該回転軸と直交する断面形状が当該回転軸を略中心とする円弧状を成す曲面状に形成されていることを特徴とする請求項１２に記載の光走査装置の回転多面鏡。
【発明の詳細な説明】
【技術分野】
【０００１】
本発明は、プリンタや複写機等の画像形成装置等に用いられ、レーザビーム等によって被走査部材を走査する光走査装置およびその回転多面鏡に関する。
【背景技術】
【０００２】
電子写真方式を用いる画像形成装置として、レーザビームで感光体を露光走査して画像形成を行ういわゆるレーザビームプリンタが普及している。
このようなレーザビームプリンタ等の画像形成装置に用いられるレーザ露光装置は、光源であるレーザ発信器から出射されたレーザビームを回転多面鏡（ポリゴンミラー）等の偏向走査手段で偏向して走査動作させ、被走査部材である感光体ドラムの周面の感光体を露光走査する。
ここで、レーザ発信器として用いられる半導体レーザは、温度や使用経過時間等の条件によってレーザ出力（光量）が変化する。このため、光量をモニタして所定の光量を得るフィードバック制御が行われる。
従来の端面出射型の半導体レーザの場合には、その後方出射光をモニタ光として利用することができたが、近時、レーザビーム源として、後方出射光を生じない面発光レーザが用いられるようになってきた。
面発光レーザを用いるレーザ露光装置において光量をモニタする構成としては、出射レーザビームの光路中にハーフミラー等によるビームスプリッタを介設してレーザビームの一部をモニタ用に分岐し、その分岐したモニタ用のレーザビームを光量検知センサで受光して行う方式が一般的である（たとえば特許文献１参照）。
【０００３】
【特許文献１】特開２００２−４０３５０号公報
【発明の開示】
【発明が解決しようとする課題】
【０００４】
しかしながら、上記のごとく、レーザビームをハーフミラー等によるビームスプリッタで分岐してモニタ用のレーザビームを得る方式では、走査用とモニタ用とにそれぞれ十分なレーザビーム光量を確保する必要があり、そのために半導体レーザ（面発光レーザ）に大きな出力が要求される。
また、モニタ用にビームスプリッタで分岐されるレーザビームは総光量の５０％程度にも及び、この光量が走査時においても常時モニタ側に分岐されてしまうため、走査（画像形成）に供する光量の割合が低く、効率が極めて悪いという問題があった。
さらに、光源の出力，感光体の感度，光量検知センサの感度，ビームスプリッタによる光量分岐比率等を最適化するためのパラメータが複雑な従属関係となって、構成や制御が難しくなるという問題もある。
【０００５】
本発明は、かかる技術的課題を解決するためになされたものであって、光源からの光ビームを分岐することなく、その光量検知を可能とする光走査装置およびその回転多面鏡を提供することを目的とする。
【課題を解決するための手段】
【０００６】
かかる目的を達成するために、本発明の光走査装置は、光源からの光ビームを、被走査面に結像させて走査する光走査装置であって、光ビームの光量を検知する光量検知手段と、光源からの光ビームを被走査面と光量検知手段とに時分割で振り分ける光ビーム振り分け手段と、を備えることを特徴とする。
ここで、被走査面に振り分けられる光ビームは被走査面を走査する走査ビームであり、光量検知手段に振り分けられる光ビームは光量検知手段に一定時間継続して入射する光量検知ビームであることを特徴とする。さらに、光ビーム振り分け手段は、回転する偏向部材によって、光源からの光ビームを、走査ビームと、光量検知ビームとに振り分けることを特徴とする。
【０００７】
本発明の他の光走査装置は、レーザ光源と、レーザ光源が出射した光ビームを偏向させて走査動作させる偏向走査手段と、光ビームの光量を検知する光量検知手段と、を備え、偏向走査手段は、レーザ光源が出射した光ビームを、走査動作する走査ビームと、光量検知手段に入射する光量検知ビームとに、時分割で振り分けるように構成されていることを特徴とする。
ここで、偏向走査手段は、移動によってレーザ光源が出射した光ビームを走査ビームに偏向させる走査反射面と、光ビームを光量検知ビームに偏向させる光量検知反射面と、を備えることを特徴とする。
【０００８】
また、その光量検知反射面は、レーザ光源が出射した光ビームを、走査反射面による走査ビームの走査光路平面外に偏向させて、光量検知ビームの光路を走査ビームの光路と分離するように構成されていることを特徴とする。たとえば、偏向走査手段は、周囲に走査反射面と光量検知反射面とを備えて回転軸回りに回転する回転多面鏡であって、走査反射面は回転軸と平行な面に形成され、光量検知反射面は回転軸に対して角度を有する面に形成され、光ビームを走査反射面による走査ビームの走査光路平面に対して角度を成す光量検知ビームに偏向させて、光量検知ビームの光路を走査ビームの光路と分離するように構成されていることを特徴とする。
【０００９】
さらに、上記構成に加え、光量検知反射面によって偏向された光量検知ビームを、回転多面鏡の回転による光量検知反射面の移動に拘わらず光量検知手段に収束させる光ビーム停止収束手段を備えることを特徴とする。たとえば、光ビーム停止収束手段は、回転軸と直交する断面形状が回転軸を略中心とする円弧状を成す曲面に形成された光量検知反射面と、光量検知反射面によって拡散偏向された光量検知ビームを光量検知手段に収束させる光量検知集光素子と、によって構成されていることを特徴とする。
また、走査反射面と、光量検知反射面とは、回転多面鏡の周囲に交互に配置されていることを特徴とする。
【００１０】
本発明に係る回転多面鏡は、中心軸回りに回転し、レーザ光源が出射した光ビームを反射偏向させる回転多面鏡であって、光ビームを走査動作する走査光ビームに反射偏向させる走査反射面と、光ビームを走査反射面による走査ビームの走査光路平面に対して角度を成す方向の光量検知光ビームに反射偏向させる光量検知反射面とを、交互に備えることを特徴とする。
ここで、光量検知反射面は、回転多面鏡の回転による移動に拘わらず、光ビームを一定方向に偏向させるように構成されていることを特徴とする。また、光量検知反射面は、回転軸に対して角度を有し、回転軸と直交する断面形状が回転軸を略中心とする円弧状を成す曲面状に形成されていることを特徴とする。
【発明の効果】
【００１１】
以上のように構成された本発明の光走査装置およびその回転多面鏡によれば、光源からの光ビームを分岐することなく光量検知が可能となり、光源が出射した光ビームを高い効率で走査に用いることができる。
【発明を実施するための最良の形態】
【００１２】
以下、添付図面を参照して、本発明を実施するための最良の形態(以下、実施の形態)について詳細に説明する。
図１は、本実施の形態の一構成例である光走査装置１０を概念的に示す斜視図、図２はそのＡ矢視図、図３は図２の平面図に相当するビームモニタ光学系４０を示す図である。また、図４はポリゴンミラー２０を示し、（ａ）は斜視図、（ｂ）は平面図、（ｃ）は正面図、（ｄ）は側面図である。さらに、図５は、走査レーザビームＬＢＳとモニタレーザビームＬＢＭとの振り分けを時系列で示すチャート図である。
光走査装置１０は、レーザビームプリンタ等に用いられるものであり、光源及びレーザ光源としての面発光レーザダイオード１１と、偏向部材および偏向走査手段としての回転多面鏡であるポリゴンミラー２０と、を備えている。そして、面発光レーザダイオード１１が出射した光ビームであるレーザビームＬＢを、ポリゴンミラー２０で走査動作させて、被走査面である感光体ドラム３０の周面の感光体をその回転軸方向に露光走査（主走査）するものである。
また、レーザビームＬＢを光量検知手段としての受光素子４２で検知するビームモニタ光学系４０と、その受光素子４２による光量検知情報に基づいて面発光レーザダイオード１１を制御する制御装置５０と、を備えている。
なお、光源は、面発光レーザダイオードに限定されるものではなく、たとえば端面発光レーザ等であっても良いものである。
【００１３】
ポリゴンミラー２０は、本実施の形態では平面形状が略六角形状で、周囲に六面の反射偏向面２１を有している。そして、ＤＣモータ等の回転駆動源によって回転軸２０Ｘ回りにたとえば毎分３万回転で回転駆動され、その回転によって入射したレーザビームＬＢを各反射偏向面２１で反射偏向する。また、このポリゴンミラー２０は、レーザビームＬＢを、感光体ドラム３０の走査に供する走査ビームとしての走査レーザビームＬＢＳと、光量モニタに供する光量検知ビームとしてのモニタレーザビームＬＢＭとに振り分ける機能も有しており、ビームモニタ光学系４０の一要素を構成している。その形状やビームモニタ光学系４０については後に詳述する。
【００１４】
面発光レーザダイオード１１とポリゴンミラー２０との間のレーザビームＬＢの光路には、コリメータレンズ１２と、アパーチャ１３と、シリンドリカルレンズ１４と、が設けられている。そして、コリメータレンズ１２がレーザビームＬＢを平行光化（コリメート）し、アパーチャ１３がビーム径を整形する。シリンドリカルレンズ１４は、レーザビームＬＢをポリゴンミラー２０による主走査方向と直交する副走査方向に絞り込む。
ポリゴンミラー２０と感光体ドラム３０との間には、ｆθレンズ１５が設けられている。ｆθレンズ１５は、走査動作する走査レーザビームＬＢＳの走査速度を一定化させると共に、感光体ドラム３０の周面に走査レーザビームＬＢＳのスポット像を結像させる。
【００１５】
そして、上記のごとく構成された光走査装置１０は、制御装置５０に制御されて画像情報に基づいて出射される面発光レーザダイオード１１からのレーザビームＬＢを、ポリゴンミラー２０によって走査動作する走査レーザビームＬＢＳとする。そして、この走査レーザビームＬＢＳが感光体ドラム３０の周面の感光体をその回転軸方向に露光走査（主走査）して画像情報に応じた静電潜像を形成するものである。なお、面発光レーザダイオード１１から出射されて感光体ドラム３０に至るレーザビームＬＢおよび走査レーザビームＬＢＳの光路は、ポリゴンミラー２０の回転軸２０Ｘと直交する同一平面（走査平面）内に設定されている。
【００１６】
ここで、光走査装置１０は、前述のごとくビームモニタ光学系４０を備えている。
ビームモニタ光学系４０は、前述のポリゴンミラー２０と、光量検知集光素子としての偏向集光ミラー４１と、光量検知手段としての受光素子４２と、で構成されている。
ポリゴンミラー２０は、図４に示すように、平面形状が略六角形で所定の厚さを有し、周囲に六面の反射偏向面２１が形成されている。
反射偏向面２１には、走査反射面としての走査偏向面２１Ｓと、光量検知反射面としてのモニタ偏向面２１Ｍとがあり、ポリゴンミラー２０の平面図である図４（ｂ）に示すように、ポリゴンミラー２０の周囲に交互にそれぞれ三面設けられている。これら走査偏向面２１Ｓとモニタ偏向面２１Ｍは、それぞれその一面が回転軸２０Ｘを中心とする周方向等間隔範囲（６０度範囲）として形成されている。なお、反射偏向面２１の面数は、六面に限るものではなく、走査偏向面２１Ｓとモニタ偏向面２１Ｍとが交互に配置される偶数であれば良いものである。
【００１７】
走査偏向面２１Ｓは、図４（ｂ）に示すように回転軸２０Ｘを頂点とする正三角形の底辺を含む、回転軸２０Ｘと平行な面である。そして、図１および図２（ａ）に示すように、入射するレーザビームＬＢをポリゴンミラー２０の回転に伴って走査平面内で反射偏向させて、走査動作する走査レーザビームＬＢＳ（図２（ａ）ではレーザビームＬＢと重なるために示さず）とする。たとえば、ポリゴンミラー２０の回転角１５°で、３０°の範囲で走査動作する走査レーザビームＬＢＳとする。
【００１８】
モニタ偏向面２１Ｍは、回転軸２０Ｘに対して上側が内側（回転軸２０Ｘに接近する側）に所定角度で倒れており、且つ、平面図で見ると図４（ｂ）に示すように、回転軸２０Ｘを中心とする円弧状の凸状曲面となっている。この曲面は、回転軸２０Ｘを中心軸とする円錐形の周面の一部に相当する。このような形状のモニタ偏向面２１Ｍは、入射するレーザビームＬＢを図２（ｂ）に示すように走査平面の外（上側）に所定の角度で反射偏向させる。また、平面側から見ると、図３に示すように所定角度範囲に拡散させる。しかし、その拡散状態はポリゴンミラー２０の回転によってもモニタ偏向面２１ＭにレーザビームＬＢが入射している限り変化しない。つまり、レーザビームＬＢをポリゴンミラー２０の回転に拘わらず一定光路に反射偏向させてモニタレーザビームＬＢＭとする。
このように、周囲に走査偏向面２１Ｓとモニタ偏向面２１Ｍとを交互に備えるポリゴンミラー２０は、その回転によって、図１中に示すように走査偏向面２１ＳがレーザビームＬＢを反射偏向して走査動作する走査レーザビームＬＢＳとし、また、モニタ偏向面２１Ｍは、図２（ｂ）および図３に示すように、レーザビームＬＢを走査平面外に反射偏向して一定形状で拡散するモニタレーザビームＬＢＭとする。
【００１９】
偏向集光ミラー４１は、その光軸と直交する縦横二方向に集光力を有する反射光学素子である。そして、ポリゴンミラー２０のモニタ偏向面２１Ｍによって反射偏向されて拡散するモニタレーザビームＬＢＭの光路に介設され、拡散するモニタレーザビームＬＢＭを反射偏向させて受光素子４２のセンサ面に収束させる。また、シリンドリカルレンズ１４によってポリゴンミラー２０（走査偏向面２１Ｓ）に一旦収束して縦方向（ポリゴンミラー２０の回転軸２０Ｘと平行する方向）に拡散するモニタレーザビームＬＢＭを、反射偏向させて受光素子４２のセンサ面に収束させる。
【００２０】
つまり、モニタ偏向面２１Ｍがポリゴンミラー２０の回転に拘わらずレーザビームＬＢを一定光路に反射偏向させてモニタレーザビームＬＢＭを形成し、偏向集光ミラー４１がこのモニタレーザビームＬＢＭを受光素子４２のセンサ面に収束させるものであり、これらモニタ偏向面２１Ｍと偏向集光ミラー４１とが、本実施の形態における光ビーム停止収束手段を構成しているものである。
なお、モニタレーザビームＬＢＭの縦方向の収束は、図２（ｂ）中に二点鎖線で示すように、光路中に介設したシリンドリカルレンズ４３によって行うようにしても良い。そうすれば、偏向集光ミラー４１に縦方向の集光力は必要なく、その形状を単純化できる。
受光素子４２は、偏向集光ミラー４１によって収束されたモニタレーザビームＬＢＭの光量に応じた検知信号を制御装置５０に出力する。
制御装置５０は、モニタレーザビームＬＢＭを検知した受光素子４２からの信号に基づいて、面発光レーザダイオード１１をフィードバック制御して光量制御を行う。また、走査の際には、画像情報に基づいてレーザビームＬＢの出射制御を行うものである。
【００２１】
上記のごとく構成された光走査装置１０は、ポリゴンミラー２０の回転によって、面発光レーザダイオード１１が出射したレーザビームＬＢを、ポリゴンミラー２０の走査偏向面２１Ｓによって走査レーザビームＬＢＳに偏向して感光体ドラム３０の周面の感光体を露光走査する。また、モニタ偏向面２１ＭでモニタレーザビームＬＢＭに偏向してビームモニタ光学系４０に導き、面発光レーザダイオード１１の出力制御（レーザビームＬＢの光量制御）を行う。
レーザビームＬＢの、走査レーザビームＬＢＳとモニタレーザビームＬＢＭとの振り分けは、ポリゴンミラー２０の回転によって時間ごとに（時分割で）行われる。すなわち、ポリゴンミラー２０の回転によって、面発光レーザダイオード１１からのレーザビームＬＢの入射位置に走査偏向面２１Ｓが対応するとレーザビームＬＢを走査レーザビームＬＢＳとし、レーザビームＬＢの入射位置にモニタ偏向面２１Ｍが対応するとレーザビームＬＢをモニタレーザビームＬＢＭとする。
【００２２】
ポリゴンミラー２０には、走査偏向面２１Ｓとモニタ偏向面２１Ｍとが交互にそれぞれ三面形成されており、ポリゴンミラー２０の一回転で走査レーザビームＬＢＳとモニタレーザビームＬＢＭとの振り分けが各三回行われる。
つまり、ポリゴンミラー２０の一回転の時間が、図５に示すように各三回の走査時間とモニタ時間とに均等に六分割される。
これにより、各走査時間で走査レーザビームＬＢＳによって継続して走査を行うことができると共に、各走査時間の直前のモニタ時間中に、レーザビームＬＢ（モニタレーザビームＬＢＭ）の光量を検知して面発光レーザダイオード１１の光量を制御することができる。
ここで、本実施の形態とは異なるが、複数の発光点を備えた面発光レーザダイオードからの複数のレーザビームを、一つの光学系によって一括して走査するいわゆるマルチビーム走査とする構成の光走査装置がある。そのような光走査装置の場合には、モニタ時間中に、各発光点のレーザダイオードを順次切り替えてレーザビームを出射させ、それぞれの光量を検知することで、個々のレーザダイオードの光量制御を行う。
【００２３】
以上説明したように、本実施の形態の光走査装置１０では、面発光レーザダイオード１１から出射されたレーザビームＬＢを、ポリゴンミラー２０によって時分割で走査レーザビームＬＢＳとモニタレーザビームＬＢＭとに振り分け、それぞれによって走査動作とレーザビーム量のモニタとを行う。これにより、走査レーザビームＬＢＳは、面発光レーザダイオード１１が出射したレーザビームＬＢによって、光量検知用に分岐されて減光することなく形成される。従って、面発光レーザダイオード１１のレーザ出力（光量）を高い効率で走査（画像形成）に用いることができる。また、レーザビームの光量に対するビームスプリッタによる分岐比率等を考慮する必要がなく、光量の制御が容易となるものである。
【００２４】
なお、本発明は、上記実施の形態に限るものではなく、適宜変更可能なものである。たとえば、ポリゴンミラー２０のモニタ偏向面２１Ｍの面形状は、円柱面の中心軸を回転軸２０Ｘに対して上側を内側に所定角度で倒した曲面としても良い。そうすれば、上下でモニタレーザビームＬＢＭの光路が僅かに変化するが、上下方向で周面の曲率が変化しないためにモニタレーザビームＬＢＭの像形状の変形がない。
また、上記実施の形態は、ポリゴンミラー２０のモニタ偏向面２１Ｍで拡散偏向されたモニタレーザビームＬＢＭを収束偏向させる光量検知ビーム集光素子として、反射型の偏向集光ミラー４１を用いたが、これを透過型の光学素子としても良いものである。
【００２５】
さらに、上記実施の形態における光走査装置１０のビームモニタ光学系４０では、ポリゴンミラー２０のモニタ偏向面２１Ｍは、円弧状の凸状曲面とされて、入射するレーザビームＬＢを、走査レーザビームＬＢＳの走査平面外に反射偏向してモニタレーザビームＬＢＭとすると共に、そのモニタレーザビームＬＢＭをポリゴンミラー２０の回転に拘わらず一定方向に停止させる機能を持っているが、これら機能を他の構成要素に分担させる構成としても良い。
たとえば、図６に、そのような構成のポリゴンミラー６０を示す。（ａ）は斜視図、（ｂ）は平面図、（ｃ）は正面図、（ｄ）は側面図である。また、図７はそれを用いるビームモニタ光学系７０の平面図である。
図６に示すポリゴンミラー６０は、上記実施の形態と同様に、平面形状が略六角形で所定の厚さを有し、周囲には六面の反射偏向面６１が形成されている。
【００２６】
反射偏向面６１には、それぞれ形状の異なる走査偏向面６１Ｓとモニタ偏向面６１Ｍとがあり、ポリゴンミラー６０の周囲に交互にそれぞれ三面ずつ均等範囲として形成されている。
走査偏向面６１Ｓは、回転軸６０Ｘと平行な面で、入射するレーザビームＬＢをポリゴンミラー６０の回転によって走査動作させる。また、モニタ偏向面６１Ｍは、ポリゴンミラー６０の正面図である図６（ｃ）および側面図である図６（ｄ）に示すように回転軸６０Ｘに対して上側が内側（回転軸６０Ｘに接近する側）に所定角度で倒れた平面となっている。
【００２７】
このようなポリゴンミラー６０では、モニタ偏向面６１Ｍに入射するレーザビームＬＢは、走査平面外に反射偏向されてポリゴンミラー６０の回転によって走査レーザビーム（図示せず）の走査平面とは角度を有する平面内を走査動作するモニタレーザビームＬＢＭとなる。そして、その走査動作するモニタレーザビームＬＢＭを、その平面内に配設された上記実施の形態における偏向集光ミラー４１と同様な光軸と直交する縦横二方向に集光力を有する集光光学素子７１によって受光素子７２に向けて反射偏向させれば、走査動作するモニタレーザビームＬＢＭを受光素子７２に入射させることができる。この構成では、ポリゴンミラー６０のモニタ偏向面６１Ｍが入射するレーザビームＬＢを走査レーザビームＬＢＳの走査平面外に反射偏向するように機能し、集光光学素子７１がモニタレーザビームＬＢＭをポリゴンミラー６０の回転に拘わらず一定方向に停止させるように機能する。つまり、モニタ偏向面６１Ｍと集光光学素子７１とが光ビーム停止収束手段を構成するものである。
【図面の簡単な説明】
【００２８】
【図１】本実施の形態の一構成例である光走査装置を概念的に示す斜視図である。
【図２】図１のＡ矢視図である。
【図３】図２の平面図である。
【図４】ポリゴンミラーを示し、（ａ）は斜視図、（ｂ）は平面図、（ｃ）は正面図、（ｄ）は側面図である。
【図５】走査レーザビームとモニタレーザビームとの振り分けを時系列で示すチャート図である。
【図６】異なる構成のポリゴンミラーを示し、（ａ）は斜視図、（ｂ）は平面図、（ｃ）は正面図、（ｄ）は側面図である。
【図７】図６に示すポリゴンミラーを用いるビームモニタ光学系の平面図である。
【符号の説明】
【００２９】
１０…光走査装置、１１…面発光レーザダイオード（光源，レーザ光源）、２０，６０…ポリゴンミラー（光ビーム振り分け手段，偏向部材，偏向走査手段，回転多面鏡）２１，６１…反射偏向面、２１Ｍ，６１Ｍ…モニタ偏向面（光量検知反射面，光ビーム停止収束手段）、２１Ｓ，６１Ｓ…走査偏向面（走査反射面）、２０Ｘ，６０Ｘ…回転軸、３０…感光体ドラム（被走査面）、４０，７０…ビームモニタ光学系、４１…偏向集光ミラー（光量検知集光素子）、４２，７２…受光素子（光量検知手段）、７１…集光光学素子（偏向光学素子，光ビーム停止収束手段）、ＬＢ…レーザビーム（光ビーム）、ＬＢＭ…モニタレーザビーム（光量検知ビーム）、ＬＢＳ…走査レーザビーム（走査ビーム）
【図１】
2007139827.tif 000003
【図２】
2007139827.tif 000004
【図３】
2007139827.tif 000005
【図４】
2007139827.tif 000006
【図５】
2007139827.tif 000007
【図６】
2007139827.tif 000008
【図７】
2007139827.tif 000009